(57)【特許請求の範囲】
【請求項１】
放射線画像変換パネルに記録された画像を読み取って保存する放射線画像保存方法であって、
放射線が照射された放射線画像変換パネルから放射線画像情報を読み取り、
１枚の放射線画像変換パネルに分割撮影された複数の画像のそれぞれを分割し、
分割された複数の画像のそれぞれについて撮影条件に応じて各々異なる画像処理を施し、
画像処理後の複数の画像データをそれぞれ別個に保存する、
ことを特徴とする放射線画像保存方法。
【請求項２】
放射線画像変換パネルに記録された画像を読み取って保存する放射線画像保存方法であって、
放射線が照射された放射線画像変換パネルから放射線画像情報を読み取り、
１枚の放射線画像変換パネルに分割撮影された複数の画像のそれぞれを分割し、
分割された複数の画像のそれぞれについて撮影条件に応じて各々異なる画像処理を施し、
この画像処理後の複数の画像データをそれぞれ別個に保存すると共に、画像処理しない状態の複数の画像データを、各々の画像処理の条件と対応付けてそれぞれ別個に保存する、
ことを特徴とする放射線画像保存方法。
【請求項３】
分割撮影された画像に基づく画像データであることを示すデータを、前記画像データと対応付けて保存する、
ことを特徴とする請求項１または請求項２に記載の放射線画像保存方法。
【請求項４】
放射線画像変換パネルに記録された画像を読み取って保存する放射線画像保存装置であって、
放射線が照射された放射線画像変換パネルから放射線画像情報を読み取る読取手段と、
１枚の放射線画像変換パネルに分割撮影された複数の画像のそれぞれを分割する分割手段と、
分割された複数の画像のそれぞれについて撮影条件に応じて各々異なる画像処理を施す画像処理手段と、
この画像処理後の複数の画像データをそれぞれ別個に保存するよう制御する制御手段と、
を備えたことを特徴とする放射線画像保存装置。
【請求項５】
放射線画像変換パネルに記録された画像を読み取って保存する放射線画像保存装置であって、
放射線が照射された放射線画像変換パネルから放射線画像情報を読み取る読取手段と、  １枚の放射線画像変換パネルに分割撮影された複数の画像のそれぞれを分割する分割手段と、
分割された複数の画像のそれぞれについて撮影条件に応じて各々異なる画像処理を施す画像処理手段と、
この画像処理後の複数の画像データをそれぞれ別個に保存するように制御する共に、画像処理しない状態の複数の画像データを、各々の画像処理の条件と対応付けてそれぞれ別個に保存するよう制御する制御手段と、
を備えたことを特徴とする放射線画像保存装置。
【請求項６】
前記制御手段は、分割撮影された画像に基づく画像データであることを示すデータを、前記画像データと対応付けて保存するよう制御する、
ことを特徴とする請求項４または請求項５に記載の放射線画像保存装置。
【発明の詳細な説明】
【０００１】
【発明が属する技術分野】
本発明は、蓄積性蛍光体（輝尽性蛍光体プレート）等の放射線画像変換パネルを用いた放射線画像保存方法及び放射線画像保存装置における保存動作の改良に関する。
【０００２】
【従来の技術】
ある種の蛍光体に放射線（Ｘ線、α線、β線、ｒ線、紫外線等）を照射すると、この放射線エネルギーの一部が蛍光体中に蓄積される。そして、この蛍光体に可視光等の励起光を照射すると、蓄積されたエネルギーに応じて蛍光体が輝尽発光を示すことが知られいる。このような性質を示す蛍光体は蓄積性蛍光体若しくは輝尽性蛍光体と呼ばれる。
【０００３】
この輝尽性蛍光体を利用して、人体等の放射線画像情報を一旦シート上に設けられた蓄積性蛍光体（輝尽性蛍光体プレート等の放射線画像変換パネル）に記録し、この放射線画像変換パネルをレーザ光等の励起光で走査して輝尽発光光を生ぜしめ、得られた輝尽発光光を光電的に読み出して画像信号を得ることが可能である。
【０００４】
また、他の方法としては、半導体素子を用いて放射線画像情報を得る方法もある。
以上のような場合において、分割撮影と呼ばれる撮影により、１枚の放射線画像変換パネルの領域を複数に分けて使用し、複数の画像を写し込むことが行われていた。
【０００５】
【発明が解決しようとする課題】
このように分割撮影された複数の画像については、１枚の放射線画像変換パネル全体で１枚の画像として読み取られ、１枚の画像として処理，出力されるのが一般的であった。
【０００６】
このように全体で１枚の画像としてまとめて処理される場合には、分割撮影された複数の画像毎に異なる撮影条件（露出，撮影方法等）で撮影されているにもかかわらず、それぞれの画像毎に最適な画像処理を施すことができないという問題を有する。
【０００７】
また、１枚の放射線画像変換パネルに分割撮影された複数の画像について、複数の画像のそれぞれで異なる画像処理を施すことも知られている。しかし、そのように異なる画像処理を施した場合の画像データの保存や管理については何等配慮されていなかった。
【０００８】
すなわち、このように１枚の放射線画像変換パネルに分割撮影された複数の画像を１枚毎の画像単位で処理される場合には、当然に分割撮影された１枚毎に画像データとしてそれぞれ別個に保存されることになる。従って、分割撮影された際の関係が不明になっており、分割撮影された元の状態として複数の画像を集めて１枚の画像を復元することはできない状態になる。
【０００９】
本発明は上述した課題を解決するためになされたものであり、第１の目的は、分割撮影に含まれる個々の画像毎に最適な画像処理を施すことが可能な放射線画像保存方法及び放射線画像保存装置を提供することにある。
【００１０】
第２の目的は、分割撮影された元の状態に復元することが可能であり、分割撮影に含まれる個々の画像毎に最適な画像処理を施すことが可能な放射線画像保存方法及び放射線画像保存装置を提供することにある。
【００１１】
【課題を解決するための手段】
従って、課題を解決する手段としての発明は、以下に説明するものである。
（１）第１の発明は、放射線画像変換パネルに記録された画像を読み取って保存する放射線画像保存方法と装置であって、１枚の放射線画像変換パネルに分割撮影された複数の画像のそれぞれを別個の画像データとして保存することを特徴とするものである。
【００１３】
これらの発明では、放射線画像変換パネルに記録された画像を読み取って保存する際に、１枚の放射線画像変換パネルに分割撮影された複数の画像のそれぞれを別個の画像データとして保存することにより、分割撮影に含まれる個々の画像毎に最適な画像処理を施すことが可能になる。
【００１４】
（２）第２の発明は、放射線が照射された放射線画像変換パネルから放射線画像情報を読み取り、該放射線画像情報を複数の画像に分割し、該分割された各画像に関する画像データをそれぞれ別個のデータとして保存することを特徴とするものである。
【００１６】
これらの発明では、放射線画像変換パネルから読み取った放射線画像情報を複数の画像に分割して別個の画像データとして保存することにより、個々の画像毎に最適な処理を施すことが可能になる。
【００１７】
（３）第３の発明は、上記（２）において、前記放射線画像変換パネルから読み取った放射線画像情報が、分割撮影により撮影された複数の画像を含む情報であることを特徴とするものである。
【００１９】
これらの発明では、放射線画像変換パネルから読み取った分割撮影にかかる放射線画像情報を複数の画像に分割して別個の画像データとして保存することにより、個々の画像毎に最適な処理を施すことが可能になる。
【００２０】
（４）第４の発明は、上記（１）または上記（３）のいずれにおいて、１枚の放射線画像変換パネルに分割撮影された複数の画像のそれぞれについて各々画像処理を施し、該画像処理後の画像データを別個に保存することを特徴とするものである。
【００２２】
これらの発明では、１枚の放射線画像変換パネルに分割撮影された複数の画像のそれぞれについて各々画像処理を施し、該画像処理後の画像データを別個に保存することにより、分割撮影に含まれる個々の画像毎に最適な画像処理を施すことが可能であり、その状態の画像を保存することも可能になる。
【００２３】
（５）第５の発明は、上記（１）または上記（３）のいずれにおいて、１枚の放射線画像変換パネルに分割撮影された複数の画像のそれぞれについて各々画像処理しない状態の画像データを別個に保存することを特徴とするものである。
【００２５】
これらの発明では、１枚の放射線画像変換パネルに分割撮影された複数の画像のそれぞれについて各々画像処理しない状態のオリジナルの画像データを別個に保存することにより、分割撮影に含まれる個々の画像毎に最適な画像処理を施すことが保存後でも可能になる。
【００２６】
（６）第６の発明は、放射線画像変換パネルに記録された画像を読み取って保存する放射線画像保存方法と装置であって、１枚の放射線画像変換パネルに分割撮影された複数の画像のそれぞれについて各々画像処理を施し、該画像処理前の画像データを別個の画像データとして、各々の前記画像処理の条件と共に保存することを特徴とするものである。
【００２８】
これらの発明では、１枚の放射線画像変換パネルに分割撮影された複数の画像のそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００２９】
（７）第７の発明は、放射線が照射された放射線画像変換パネルから放射線画像情報を読み取り、該放射線画像情報を複数の画像に分割し、分割された各画像に関する画像データに画像処理を施し、該画像処理前の画像データを別個の画像データとして、前記各画像データに対して施した前記画像処理の条件と対応付けて保存することを特徴とするものである。
【００３１】
これらの発明では、１枚の放射線画像変換パネルから読み取った画像を複数に分割してそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００３２】
（８）第８の発明は、上記（７）において、前記放射線画像変換パネルから読み取った放射線画像情報が、分割撮影により撮影された複数の画像を含む情報であることを特徴とするものである。
【００３４】
これらの発明では、１枚の放射線画像変換パネルから読み取った分割撮影にかかる画像を複数に分割してそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００３５】
（９）第９の発明は、放射線画像変換パネルに記録された画像を読み取って保存する放射線画像保存方法と装置であって、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することを特徴とするものである。
【００３７】
これらの発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００３８】
（１０）第１０の発明は、放射線が照射された放射線画像変換パネルから放射線画像情報を読み取り、該放射線画像情報を複数の画像に分割し、分割された各画像に関する画像データを別個の画像データとして、前記放射線画像情報が前記放射線画像変換パネルに分割撮影により得られたことを示すデータと対応付けて保存することを特徴とするものである。
【００４０】
これらの発明では、１枚の放射線画像変換パネルから読み取った複数の画像を分割してそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００４１】
（１１）第１１の発明は、上記（１０）において、前記放射線画像変換パネルから読み取った放射線画像情報が、分割撮影により撮影された複数の画像を含む情報であることを特徴とするものである。
【００４２】
この発明では、１枚の放射線画像変換パネルから読み取った分割撮影にかかる画像を複数に分割して別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００４３】
（１２）第１２の発明は、上記（９）または上記（１１）のいずれかにおいて、１枚の放射線画像変換パネルに分割撮影された複数の画像のそれぞれについて各々画像処理を施し、該画像処理後の画像データを別個に保存することを特徴とするものである。
【００４５】
これらの発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００４６】
そして、１枚の放射線画像変換パネルに分割撮影された複数の画像のそれぞれについて各々画像処理を施し、該画像処理後の画像データを別個に保存することにより、分割撮影に含まれる個々の画像毎に最適な画像処理を施すことが可能であり、その状態の画像を保存することも可能になる。
【００４７】
（１３）第１３の発明は、上記（９）または上記（１１）のいずれかにおいて、１枚の放射線画像変換パネルに分割撮影された複数の画像のそれぞれについて各々画像処理を施し、該画像処理前の画像データを別個の画像データとして、各々の前記画像処理の条件と共に保存することを特徴とするものである。
【００４９】
これらの発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００５０】
そして、１枚の放射線画像変換パネルに分割撮影された複数の画像のそれぞれについて各々画像処理しない状態のオリジナルの画像データを別個に保存することにより、分割撮影に含まれる個々の画像毎に最適な画像処理を施すことが保存後でも可能になる。
【００５１】
（１４）第１４の発明は、上記（９）または上記（１１）のいずれかにおいて、１枚の放射線画像変換パネルに分割撮影された複数の画像のそれぞれを別個の画像データとして保存する際に、同一放射線画像変換パネルに分割撮影された際の位置情報を前記画像データと対応付けて保存することを特徴とするものである。
【００５３】
これらの発明では、１枚の放射線画像変換パネルに分割撮影された複数の画像のそれぞれを別個の画像データとして保存する際に、同一放射線画像変換パネルに分割撮影された画像に基づく画像データであることを示すデータと分割撮影における位置情報とを関連付けて保存することにより、分割撮影された元の状態を正確に復元することが可能になり、分割撮影に含まれる個々の画像毎に最適な画像処理を施すことが可能になる。
【００５６】
【発明の実施の形態】
次に、本発明の実施の形態例について図面を参照しつつ説明する。
＜第１の実施の形態例＞
図１は本発明の各実施の形態例における放射線画像保存装置、または、本発明の各実施の形態例の放射線画像保存方法を実施する装置の一例を示す構成図である。
【００５７】
この図１において、制御部１０は装置各部の動作を制御する制御手段であり、操作部２０からの指示入力や内蔵された動作制御プログラム等に従って、画像保存や画像処理などに関する各種制御を行うものである。
【００５８】
スキャナ３０は画像読み取りを行う入力装置であり、ここでは分割撮影された放射線画像変換パネルの画像の読み取りを行って画像データを生成するものである。
【００５９】
画像処理部４０は分割撮影された複数の画像の分割処理や各画像に適した画像処理の実行など、制御部１０の指示のもとで行う画像処理手段である。
画像記憶部５０は光ディスク装置や磁気ディスク装置などで構成された画像保存手段であり、制御部１０の指示により画像データの保存，格納を行うものである。
【００６０】
プリンタ６０はスキャナ３０で読み取られて画像処理部４０で画像処理された画像の画像形成を行う画像出力手段である。
表示部７０は装置の各種状態や読み取りにより得られた放射線画像等を画像表示する表示手段である。
【００６１】
ここで、図２以降を参照して本実施の形態例の動作説明を行う。ここでは、分割撮影された画像の保存に関する動作を中心に説明する。
図２のフローチャートは、分割撮影された画像の保存に関するルーチンであり、制御部１０においてメインの動作プログラムから必要時にコールされるものである。
【００６２】
まず、制御部１０は装置全体の各部について動作状態を監視しており、操作部２０から分割撮影された放射線画像変換パネルの読み取りの指示があった場合には、スキャナ３０は放射線画像変換パネルに分割撮影された複数の画像をまとめて読み取る（図２Ｓ１）。ここで、図３（ａ）が１枚の放射線画像変換パネルで分割撮影された状態の一例を示している。
【００６３】
そして、読み取られた画像は画像データとして画像処理部４０に供給される。画像処理部４０では分割撮影による複数の画像のそれぞれを分離し、個々の画像データを生成する（図２Ｓ２）。
【００６４】
この場合に、一つの画像と認められる範囲を少なくとも含むように切り出しを行って分離する。または、Ｘ線の照射野がＸ線絞りにより決定されるが、このようにＸ線の照射された一つの範囲を含むように切り出しを行って分離する。
【００６５】
まとめて読み取られた画像が図３（ａ）のような場合、この段階で分離された画像データは図３（ｂ）〜（ｅ）のようになる。
このようにして切り出すには、公知の画像処理を利用し、少なくとも一塊の画像を複数に分離するようにする。例えば、
▲１▼図３の（ｂ）〜（ｅ）の各画像の被写体の輪郭に沿って切り出す，
▲２▼図３の（ｂ）〜（ｅ）の各画像の被写体輪郭とその周囲とを切り出す，
▲３▼図３の（ｂ）〜（ｅ）の各画像を含む範囲で、図３（ａ）全体を等分して切り出す，
▲４▼図３の（ｂ）〜（ｅ）の各画像を含む範囲について、余白同士が重なりを有するように切り出す，
などが考えられる。また、この例では各画像を４つに分割して切り出したが、このようにする以外に、２つずつの画像を含むようにして合計２つに分けるように切り出しても構わない。
【００６６】
尚、図３（ａ）から図３（ｂ）〜（ｅ）を分離する際に、個々の画像の拡大／縮小率が異なることは好ましくない。そこで、分割撮影による複数の画像を分離する際には統一した拡大／縮小率になるように、制御部１０が画像処理部４０に指示を与えるようにする。
【００６７】
そして、分離した複数の画像のそれぞれについて、適した画像処理を実行する（図２Ｓ３）。すなわち、分割撮影された個々の画像は、それぞれ異なる撮影条件（露出，撮影方法等）で撮影されているため、画像処理の条件も異なったものになる。この場合、個々の画像の濃度ヒストグラムや階調特性などを参照したり、操作部２０や外部の機器から与えられる撮影時の条件などを参照して、画像処理の条件を決定することが好ましい。
【００６８】
なお、実際に切り出しを行う前に、切り出す領域毎に分割して異なる条件で画像処理を施すことが可能であれば、切り出し前の個々に異なる画像処理を施すようにしてもよい。
【００６９】
そして、必要であれば個々に分離され画像処理された画像を表示部７０に表示する（図２Ｓ４）。この場合、表示された画像を参照してオペレータの指示により、更に画像処理を行うようにしてもよい。
【００７０】
ここで、個々に画像処理を施した画像について、画像処理後の画像データを保存するか、画像処理前の画像データを保存するかを選択する（図２Ｓ５）。この選択は、予め一方に決定しておいても良いし、保存の際に表示部７０に指示待ちの表示を行って、オペレータの操作部２０での指示を待つようにしても良い。
【００７１】
予め一方に決定しておく場合には、制御部１０のパラメタ保持部にそのデータ（いずれか一方に決定したことを示すデータ）を格納しておけばよい。この場合、モード設定などの操作により、いずれの保存を行うかを変更できるようにしておけば良い。
【００７２】
また、オペレータの指示による場合も、その指示について、連続した放射線画像変換パネルの読み込みについて適用するか、装置の電源をオフするまで適用するか、各種の動作が考えられる。
【００７３】
そして、画像処理後の画像データを保存する場合には、個々の画像データと共に（若しくは関連付けた状態で）、分割撮影のデータを保存するようにする（図２Ｓ６）。ここで、分割撮影のデータとは、個々の画像データ（図３（ｂ）〜（ｅ））が、分割撮影された放射線画像変換パネル上でどの位置で、どのような大きさで撮影されていたか（図３（ａ）における個々の画像データの中心位置や大きさの状態）などの情報である。
【００７４】
尚、分割撮影にかかる一連の画像データのまとまりを示すような最低限のデータ、例えば、図３（ｂ）〜（ｅ）の各画像データが相互に関連するものであることを示すデータであってもよい。
【００７５】
また、画像処理前の画像データを保存する場合には、個々の画像データと共に（若しくは関連付けた状態で）、画像処理の条件と分割撮影のデータを保存するようにする（図２Ｓ７）。ここで、画像処理の条件とは、図２のＳ２で行った個々の画像データに適した画像処理の条件（処理内容やパラメタなど）である。
【００７６】
以上が本実施の形態例の装置の動作及び方法の手順の概要であり、その特徴及び効果は以下のようになっている。
▲１▼１枚の放射線画像変換パネルに分割撮影された複数の画像を個々に分離し、個々の画像データを扱う（保存する）ようにすることで、分割撮影に含まれる個々の画像毎に最適な画像処理を施すことが可能になる。
【００７７】
▲２▼１枚の放射線画像変換パネルに分割撮影された複数の画像のそれぞれについて各々画像処理を施し、該画像処理後の画像データを別個に保存することにより、分割撮影に含まれる個々の画像毎に最適な画像処理を施すことが可能であり、その状態の画像を保存することも可能になる。
【００７８】
▲３▼１枚の放射線画像変換パネルに分割撮影された複数の画像のそれぞれについて各々画像処理しない状態のオリジナルの画像データを別個に保存することにより、分割撮影に含まれる個々の画像毎に最適な画像処理を施すことが保存後でも可能になる。
【００７９】
▲４▼１枚の放射線画像変換パネルに分割撮影された複数の画像のそれぞれについて各々画像処理しない状態の画像データ（各々画像処理を施し、該画像処理前の画像データ）を別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００８０】
▲５▼１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することにより、分割撮影された元の状態（図３（ａ）の状態）に復元することが可能になり、分割撮影に含まれる個々の画像毎に最適な画像処理を施すことが可能になる。
【００８１】
▲６▼１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存し、１枚の放射線画像変換パネルに分割撮影された複数の画像のそれぞれについて各々画像処理を施し、該画像処理後の画像データを別個に保存することにより、分割撮影された元の状態に復元することが可能になり、分割撮影に含まれる個々の画像毎に最適な画像処理を施すことが可能になり、その状態の画像を保存することも可能になる。
【００８２】
▲７▼１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存し、１枚の放射線画像変換パネルに分割撮影された複数の画像のそれぞれについて各々画像処理しない状態のオリジナルの画像データを別個に保存することにより、分割撮影された元の状態に復元することが可能になり、分割撮影に含まれる個々の画像毎に最適な画像処理を施すことが可能になり、このように分割撮影に含まれる個々の画像毎に最適な画像処理を施すことが保存後でも可能になる。
【００８３】
▲８▼１枚の放射線画像変換パネルに分割撮影された複数の画像のそれぞれを別個の画像データとして保存する際に、同一放射線画像変換パネルに分割撮影された画像に基づく画像データであることを示すデータと分割撮影における位置情報とを保存することにより、分割撮影された元の状態を正確に復元することが可能になる。
【００８４】
【発明の効果】
以上詳細に説明したように、この明細書に記載の各発明によれば以下のような効果が得られる。
【００８５】
（１）請求項１記載の放射線画像保存方法の発明では、１枚の放射線画像変換パネルに分割撮影された複数の画像を個々に分離し、個々の画像データを扱う（保存する）ようにすることで、分割撮影に含まれる個々の画像毎に最適な画像処理を施すことが可能になる。
【００８６】
（２）請求項２記載の放射線画像保存方法の発明では、放射線画像変換パネルから読み取った放射線画像情報を複数の画像に分割して別個の画像データとして保存することにより、個々の画像毎に最適な処理を施すことが可能になる。
【００８７】
（３）請求項３記載の放射線画像保存方法の発明では、放射線画像変換パネルから読み取った分割撮影にかかる放射線画像情報を複数の画像に分割して別個の画像データとして保存することにより、個々の画像毎に最適な処理を施すことが可能になる。
【００８８】
（４）請求項４記載の放射線画像保存方法の発明では、１枚の放射線画像変換パネルに分割撮影された複数の画像のそれぞれについて各々画像処理を施し、該画像処理後の画像データを別個に保存することにより、分割撮影に含まれる個々の画像毎に最適な画像処理を施すことが可能であり、その状態の画像を保存することも可能になる。
【００８９】
（５）請求項５記載の放射線画像保存方法の発明では、１枚の放射線画像変換パネルに分割撮影された複数の画像のそれぞれについて各々画像処理しない状態のオリジナルの画像データを別個に保存することにより、分割撮影に含まれる個々の画像毎に最適な画像処理を施すことが保存後でも可能になる。
【００９０】
（６）請求項６記載の放射線画像保存方法の発明では、１枚の放射線画像変換パネルに分割撮影された複数の画像のそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００９１】
（７）請求項７記載の放射線画像保存方法の発明では、１枚の放射線画像変換パネルから読み取った画像を複数に分割してそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００９２】
（８）請求項８記載の放射線画像保存方法の発明では、１枚の放射線画像変換パネルから読み取った分割撮影にかかる画像を複数に分割してそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【００９３】
（９）請求項９記載の放射線画像保存方法の発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００９４】
（１０）請求項１０記載の放射線画像保存方法の発明では、１枚の放射線画像変換パネルから読み取った複数の画像を分割してそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００９５】
（１１）請求項１１記載の放射線画像保存方法の発明では、１枚の放射線画像変換パネルから読み取った分割撮影にかかる画像を複数に分割して別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【００９６】
（１２）請求項１２記載の放射線画像保存方法の発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存し、１枚の放射線画像変換パネルに分割撮影された複数の画像のそれぞれについて各々画像処理を施し、該画像処理後の画像データを別個に保存することにより、分割撮影された元の状態に復元することが可能になり、分割撮影に含まれる個々の画像毎に最適な画像処理を施すことが可能になり、その状態の画像を保存することも可能になる。
【００９７】
（１３）請求項１３記載の放射線画像保存方法の発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存し、１枚の放射線画像変換パネルに分割撮影された複数の画像のそれぞれについて各々画像処理しない状態のオリジナルの画像データを別個に保存することにより、分割撮影された元の状態に復元することが可能になり、分割撮影に含まれる個々の画像毎に最適な画像処理を施すことが可能になり、このように分割撮影に含まれる個々の画像毎に最適な画像処理を施すことが保存後でも可能になる。
【００９８】
（１４）請求項１４記載の放射線画像保存方法の発明では、１枚の放射線画像変換パネルに分割撮影された複数の画像のそれぞれを別個の画像データとして保存する際に、同一放射線画像変換パネルに分割撮影された画像に基づく画像データであることを示すデータと分割撮影における位置情報とを保存することにより、分割撮影された元の状態を正確に復元することが可能になる。
【００９９】
（１５）請求項１５記載の放射線画像保存装置の発明では、１枚の放射線画像変換パネルに分割撮影された複数の画像を個々に分離し、個々の画像データを扱う（保存する）ようにすることで、分割撮影に含まれる個々の画像毎に最適な画像処理を施すことが可能になる。
【０１００】
（１６）請求項１６記載の放射線画像保存装置の発明では、放射線画像変換パネルから読み取った放射線画像情報を複数の画像に分割して別個の画像データとして保存することにより、個々の画像毎に最適な処理を施すことが可能になる。
【０１０１】
（１７）請求項１７記載の放射線画像保存装置の発明では、放射線画像変換パネルから読み取った分割撮影された放射線画像情報を複数の画像に分割して別個の画像データとして保存することにより、個々の画像毎に最適な処理を施すことが可能になる。
【０１０２】
（１８）請求項１８記載の放射線画像保存装置の発明では、１枚の放射線画像変換パネルに分割撮影された複数の画像のそれぞれについて各々画像処理を施し、該画像処理後の画像データを別個に保存することにより、分割撮影に含まれる個々の画像毎に最適な画像処理を施すことが可能であり、その状態の画像を保存することも可能になる。
【０１０３】
（１９）請求項１９記載の放射線画像保存装置の発明では、１枚の放射線画像変換パネルに分割撮影された複数の画像のそれぞれについて各々画像処理しない状態のオリジナルの画像データを別個に保存することにより、分割撮影に含まれる個々の画像毎に最適な画像処理を施すことが保存後でも可能になる。
【０１０４】
（２０）請求項２０記載の放射線画像保存装置の発明では、１枚の放射線画像変換パネルに分割撮影された複数の画像のそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【０１０５】
（２１）請求項２１記載の放射線画像保存装置の発明では、１枚の放射線画像変換パネルから読み取った画像を複数に分割してそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【０１０６】
（２２）請求項２２記載の放射線画像保存方法の発明では、１枚の放射線画像変換パネルから読み取った分割撮影にかかる画像を複数に分割してそれぞれについて各々画像処理を施し、該画像処理前の画像データを別個の画像データとして、各々の前記画像処理の条件と共に保存することにより、分割撮影に含まれる個々の画像毎に最適な画像処理を施すことが保存後でも可能であり、画像処理の条件が保存されていることで同一な画像処理を繰り返すことが可能になる。
【０１０７】
（２３）請求項２３記載の放射線画像保存装置の発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【０１０８】
（２４）請求項２４記載の放射線画像保存装置の発明では、１枚の放射線画像変換パネルから読み取った複数の画像を分割してそれぞれを別個の画像データとして保存する際に、同一放射線画像変換パネルに分割撮影された画像に基づく画像データであることを示すデータを前記画像データと対応付けて保存することにより、分割撮影された元の状態に復元することが可能になり、分割撮影に含まれる個々の画像毎に最適な画像処理を施すことが可能になる。
【０１０９】
（２５）請求項２５記載の放射線画像保存装置の発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存し、１枚の放射線画像変換パネルに分割撮影された複数の画像のそれぞれについて各々画像処理を施し、該画像処理後の画像データを別個に保存することにより、分割撮影された元の状態に復元することが可能になり、分割撮影に含まれる個々の画像毎に最適な画像処理を施すことが可能になり、その状態の画像を保存することも可能になる。
【０１１０】
（２６）請求項２６記載の放射線画像保存装置の発明では、１枚の放射線画像変換パネルに分割撮影された複数の画像のそれぞれを別個の画像データとして保存する際に、同一放射線画像変換パネルに分割撮影された画像に基づく画像データであることを示すデータを前記画像データと対応付けて保存し、１枚の放射線画像変換パネルに分割撮影された複数の画像のそれぞれについて各々画像処理しない状態のオリジナルの画像データを別個に保存することにより、分割撮影された元の状態に復元することが可能になり、分割撮影に含まれる個々の画像毎に最適な画像処理を施すことが可能になり、このように分割撮影に含まれる個々の画像毎に最適な画像処理を施すことが保存後でも可能になる。
【０１１１】
（２７）請求項２７記載の放射線画像保存装置の発明では、１枚の放射線画像変換パネルに分割撮影された複数の画像のそれぞれを別個の画像データとして保存する際に、同一放射線画像変換パネルに分割撮影された画像に基づく画像データであることを示すデータと分割撮影における位置情報とを保存することにより、分割撮影された元の状態を正確に復元することが可能になる。
【０１１２】
（２８）請求項２８記載の放射線画像保存装置の発明では、１枚の放射線画像変換パネルに分割撮影された複数の画像のそれぞれを別個の画像データとして保存する際に、同一放射線画像変換パネルに分割撮影された画像に基づく画像データであることを示すデータと分割撮影における位置情報とを関連付けて保存することにより、分割撮影された元の状態を正確に復元することが可能になり、分割撮影に含まれる個々の画像毎に最適な画像処理を施すことが可能になる。
【図面の簡単な説明】
【図１】本発明の実施の形態例で用いる放射線画像保存装置の全体構成を示す構成図である。
【図２】本発明の実施の形態例の放射線画像の読み取りと保存の様子を示すフローチャートである。
【図３】本発明の実施の形態例の放射線画像の分割撮影の様子と分離，保存の様子を示す説明図である。
【符号の説明】
１０  制御部
２０  操作部
３０  スキャナ
４０  画像処理部
５０  画像記憶部
６０  プリンタ
７０  表示部
【図１】
0003855378.tif 000002
【図２】
0003855378.tif 000003
【図３】
0003855378.tif 000004